(57)【要約】【課題】商品の購入者によって選択された画像を、その販売拠点、注文受付拠点、発送拠点または受渡拠点に於いて、包装材やシール材に個別に印刷することができる包装材印刷システムを提供する。【解決手段】商品の購入者は、店舗クライアント装置１３０を使用することにより、ユーザ画像サーバ１１０および広告画像サーバ１２０によって管理されている複数種類の画像２００を閲覧しつつ、その中から、当該商品の包装材１６０および／または当該商品に貼られるシール材に印刷することを希望する１または複数の画像２００を選択することができる。そして、選択した画像２００を、販売拠点、注文受付拠点、発送拠点または受渡拠点に設置されたプリンタ１４０を使用して、当該商品の包装材１６０および／または当該商品に貼られるシール材に個別に印刷することができる。【選択図】図１
2004303249.tif 000002
【特許請求の範囲】
【請求項１】
商品の購入者により選択された１または複数の画像を、当該商品の包装材（包装材に貼られるシール材を含む）および／または当該商品に貼られるシール材に印刷するべく、当該商品の販売拠点、注文受付拠点、発送拠点または受渡拠点にプリンタを設置した包装材印刷システム。
【請求項２】
商品の購入者により選択された１または複数の画像を、当該商品の包装材（包装材に貼られるシール材を含む）および／または当該商品に貼られるシール材に印刷するための包装材印刷システムであって、
複数種類の画像を閲覧可能且つそのうちの任意の画像を選択可能に管理するサーバ装置と、
前記サーバ装置によって管理されている画像の中から１または複数の画像を商品の購入者が選択するためのクライアント装置と、
前記クライアント装置にて選択された画像を前記商品の包装材または当該商品に貼られるシール材に印刷するべく前記商品の販売拠点、注文受付拠点、発送拠点または受渡拠点に設置されたプリンタと、
を備えた包装材印刷システム。
【請求項３】
前記画像は、前記商品の購入者から提供された画像および／または広告主から提供された画像である請求項１または２記載の包装材印刷システム。
【請求項４】
前記サーバ装置は、複数の広告主から提供された画像を管理している請求項２または３記載の包装材印刷システム。
【請求項５】
前記広告主から提供された画像は、当該広告主が販売する商品の広告画像である請求項３または４記載の包装材印刷システム。
【請求項６】
前記クライアント装置は、前記商品の購入者のデジタルカメラまたは記録メディアに記録されている画像の中から任意の画像を選択する機能を有している請求項２〜５のいずれかに記載の包装材印刷システム。
【請求項７】
前記包装材は、包装箱または包装紙である請求項１〜６のいずれかに記載の包装材印刷システム。
【請求項８】
前記包装箱は、下箱とこれに被さる上箱とからなり、当該上箱は前記画像の印刷後に成形されるものである請求項７記載の包装材印刷システム。
【請求項９】
前記上箱は、シート状の被印刷材を折り曲げる工程を経て成形されるものであり、当該被印刷材には、成形を容易にするべく切り込み予定線、切り取り予定線、切り込み部、または切欠部が予め設けられている請求項８記載の包装材印刷システム。
【請求項１０】
請求項３〜９のいずれかに記載の包装材印刷システムにおいて、
前記広告主から提供された画像が前記包装材および／または前記シール材に印刷された回数および／または面積を広告主毎に計算し、その計算結果に応じた料金を広告主毎に課金する広告料金課金装置。
【請求項１１】
商品の購入者により選択された１または複数の画像を、当該商品の販売拠点、注文受付拠点、発送拠点または受渡拠点に設置したプリンタを使用して当該商品の包装材（包装材に貼られるシール材を含む）および／または当該商品に貼られるシール材に印刷するようにした包装材印刷方法。
【請求項１２】
商品の購入者により選択された１または複数の画像を、当該商品の包装材（包装材に貼られるシール材を含む）および／または当該商品に貼られるシール材に印刷するための包装材印刷方法であって、
複数種類の画像を閲覧可能且つそのうちの任意の画像を選択可能にサーバ装置によって管理する画像管理ステップと、
前記複数種類の画像の中から１または複数の画像をクライアント装置を使用して選択する画像選択ステップと、
前記選択された１または複数の画像を前記商品の販売拠点、注文受付拠点、発送拠点または受渡拠点に設置されたプリンタを使用して前記商品の包装材および／または前記シール材に印刷する画像印刷ステップと、
を含む包装材印刷方法。
【請求項１３】
前記画像は、前記商品の購入者から提供された画像および／または広告主から提供された画像である請求項１２記載の包装材印刷方法。
【請求項１４】
前記画像管理ステップにおいて、複数の広告主から提供された画像を管理するようにした請求項１２または１３記載の包装材印刷方法。
【請求項１５】
前記広告主から提供された画像は、当該広告主が販売する商品の広告画像である請求項１３または１４記載の包装材印刷方法。
【請求項１６】
前記画像選択ステップは、前記商品の購入者のデジタルカメラまたは記録メディアに記録されている画像の中から任意の画像を選択するステップを含む請求項１２〜１５のいずれかに記載の包装材印刷方法。
【請求項１７】
前記包装材は、箱または包装紙である請求項１１〜１６のいずれかに記載の包装材印刷方法。
【請求項１８】
前記包装箱は、下箱とこれに被さる上箱とからなり、当該上箱は前記画像の印刷後に成形されるものである請求項１７記載の包装材印刷方法。
【請求項１９】
前記上箱は、シート状の被印刷材を折り曲げる工程を経て成形されるものであり、当該被印刷材には、成形を容易にするべく切り込み予定線、切り取り予定線、切り込み部、または切欠部が予め設けられている請求項１８記載の包装材印刷方法。
【請求項２０】
商品の購入者により選択された１または複数の画像を、当該商品の包装材（包装材に貼られるシール材を含む）および／または当該商品に貼られるシール材に印刷するための包装材印刷システムにおいて、
複数種類の画像を閲覧可能且つそのうちの任意の画像を選択可能に管理するサーバ装置。
【請求項２１】
前記画像は、前記商品の購入者から提供された画像および／または広告主から提供された画像である請求項２０記載のサーバ装置。
【請求項２２】
前記広告主から提供された画像は、複数の広告主から提供された画像である請求項２１記載のサーバ装置。
【請求項２３】
前記広告主から提供された画像は、当該広告主が販売する商品の広告画像である請求項２１または２２記載のサーバ装置。
【請求項２４】
前記包装材印刷システムは、前記商品の購入者のデジタルカメラまたは記録メディアに記録されている画像の中から任意の画像を選択する機能を有するクライアント装置を含むシステムである請求項２０〜２３のいずれかに記載のサーバ装置。
【請求項２５】
前記包装材は、包装箱または包装紙である請求項２０〜２４のいずれかに記載のサーバ装置。
【請求項２６】
前記包装箱は、下箱とこれに被さる上箱とからなり、当該上箱は前記画像の印刷後に成形されるものである請求項２０〜２５のいずれかに記載のサーバ装置。
【請求項２７】
前記上箱は、シート状の被印刷材を折り曲げる工程を経て成形されるものであり、当該被印刷材には、成形を容易にするべく切り込み予定線、切り取り予定線、切り込み部、または切欠部が予め設けられている請求項２６記載のサーバ装置。
【請求項２８】
商品の購入者に１または複数の画像を選択させるための画像選択手段と、
前記商品の購入者により選択された画像を、前記商品の販売拠点、注文受付拠点、発送拠点または受渡拠点に設置されたプリンタを使用して前記商品の包装材（包装材に貼られるシール材を含む）および／または当該商品に貼られるシール材に印刷するべく、当該プリンタに画像データもしくは印刷制御データを送信する、または、当該プリンタに画像データもしくは印刷制御データを送信する印刷サーバ装置に指示を与える印刷指示手段と、
を備えたクライアント装置。
【請求項２９】
複数種類の画像を閲覧可能且つそのうちの任意の画像を選択可能に管理するサーバ装置と通信する通信手段を備え、
前記画像選択手段により、前記サーバ装置によって管理されている画像の中から任意の画像を選択可能とした請求項２８記載のクライアント装置。
【請求項３０】
前記画像選択手段により、前記商品の購入者のデジタルカメラまたは記録メディアに記録されている画像の中から任意の画像を選択可能とした請求項２８または２９記載のクライアント装置。
【請求項３１】
前記画像は、前記商品の購入者から提供された画像および／または広告主から提供された画像である請求項２８〜３０のいずれかに記載のクライアント装置。
【請求項３２】
前記サーバ装置は、複数の広告主から提供された画像を管理している請求項２８〜３１のいずれかに記載のクライアント装置。
【請求項３３】
前記広告主から提供された画像は、当該広告主が販売する商品の広告画像である請求項３１または３２記載のクライアント装置。
【請求項３４】
前記画像選択手段により選択された画像を前記商品の包装材および／または当該商品に貼られるシール材に印刷した場合における、当該包装材および／または当該シール材の外観を表示装置に表示させる外観表示制御手段を備えた請求項２８〜３３のいずれかに記載のクライアント装置。
【請求項３５】
前記外観表示制御手段は、前記包装材のサイズおよび／または形状に応じて前記包装材に対する前記画像の配置を決定または変更する画像レイアウト機能を有する請求項３４記載のクライアント装置。
【請求項３６】
前記外観表示制御手段は、前記画像選択手段により選択された画像に前記商品の購入者から提供された画像と前記広告主から提供された画像とが含まれる場合に、前記商品の購入者から提供された画像の周囲に前記広告主から提供された画像を配置する画像レイアウト機能を有する請求項３４または３５記載のクライアント装置。
【請求項３７】
前記外観表示制御手段は、前記画像選択手段により選択された画像に前記商品の購入者から提供された画像と前記広告主から提供された画像とが含まれる場合に、前記商品の購入者から提供された画像の一部に前記広告主から提供された画像を重ねて配置する画像レイアウト機能を有する請求項３４または３５記載のクライアント装置。
【請求項３８】
前記表示装置に表示されている前記包装材の外観を、前記包装材および／または前記シール材の実際の外観とするように前記商品の購入者に決定させる外観決定手段を備え、
前記印刷指示手段は、前記外観決定手段にて前記包装材および／または前記シール材の実際の外観とするように決定された外観を実現するべく、プリンタに画像データまたは印刷制御データを送信し、若しくは、プリンタに画像データまたは印刷制御データを送信する機能を有する印刷サーバ装置に指示する機能を有する請求項３４〜３７のいずれかに記載のクライアント装置。
【請求項３９】
前記包装材は、包装箱または包装紙である請求項２８〜３８のいずれかに記載のクライアント装置。
【請求項４０】
前記包装箱は、下箱とこれに被さる上箱とからなり、当該上箱は前記画像の印刷後に成形されるものである請求項３９記載のクライアント装置。
【請求項４１】
前記上箱は、シート状の被印刷材を折り曲げる工程を経て成形されるものであり、当該被印刷材には、成形を容易にするべく切り込み予定線、切り取り予定線、切り込み部、または切欠部が予め設けられている請求項４０記載のクライアント装置。
【請求項４２】
商品の購入者により選択された１または複数の画像を、当該商品の包装材（包装材に貼られるシール材を含む）および／または当該商品に貼られるシール材に印刷するべく、当該商品の販売拠点、注文受付拠点、発送拠点または受渡拠点に設置されたプリンタ。
【請求項４３】
請求項４２記載のプリンタを使用してその表面に印刷処理が施された後に前記商品の包装箱に成形されるシート状の被印刷材であって、
前記商品の包装箱への成形を容易にするべく切り込み予定線、切り取り予定線、切り込み部、または切欠部が予め設けられた被印刷材。
【請求項４４】
商品の購入者により選択された１または複数の画像を、当該商品の包装材（包装材に貼られるシール材を含む）および／または当該商品に貼られるシール材に印刷するべくプリンタを設置した店舗。
【請求項４５】
前記画像は、前記商品の購入者から提供された画像および／または広告主から提供された画像である請求項４４記載の店舗。
【請求項４６】
前記広告主から提供された画像は、当該広告主が販売する商品の広告画像である請求項４５記載の店舗。
【請求項４７】
前記商品の購入者から提供された画像は、前記商品の購入者のデジタルカメラまたは記録メディアに記録された画像である請求項４５記載の店舗。
【請求項４８】
前記包装材は、包装箱または包装紙である請求項４４〜４７のいずれかに記載の店舗。
【請求項４９】
前記包装箱は、下箱とこれに被さる上箱とからなり、当該上箱は前記画像の印刷後に成形されるものである請求項４８記載の店舗。
【請求項５０】
前記上箱は、シート状の被印刷材を折り曲げる工程を経て成形されるものであり、当該被印刷材には、成形を容易にするべくが予め設けられている請求項４９記載の店舗。
【請求項５１】
複数のコンピュータと前記プリンタとからなるシステムを請求項１〜９のいずれかに記載の包装材印刷システムとして機能させるためのコンピュータプログラム。
【請求項５２】
コンピュータを請求項２〜９のいずれかに記載の包装材印刷システムにおけるサーバ装置、または請求項２０〜２７のいずれかに記載のサーバ装置として機能させるためのコンピュータプログラム。
【請求項５３】
コンピュータを請求項２〜９のいずれかに記載の包装材印刷システムにおけるクライアント装置、または請求項２８〜４１のいずれかに記載のクライアント装置として機能させるためのコンピュータプログラム。
【請求項５４】
コンピュータを請求項１０記載の広告料金課金装置として機能させるためのコンピュータプログラム。
【請求項５５】
商品の購入者に１または複数の画像を選択させる画像選択ステップと、
前記画像選択ステップにより選択された画像を前記商品の包装材（包装材に貼られるシール材を含む）および／または当該商品に貼られるシール材に印刷した場合における当該包装材および／または当該シール材の外観を表示装置に表示する包装材画像表示ステップと、を含むコンピュータプログラム。
【請求項５６】
前記包装材画像表示ステップは、
前記包装材のサイズおよび／または形状に応じて前記包装材に対する前記画像の配置を決定または変更する画像レイアウトステップを含む請求項５５記載のコンピュータプログラム。
【請求項５７】
前記包装材画像表示ステップは、
前記画像選択ステップにより選択された画像に前記商品の購入者から提供された画像と広告主から提供された画像とが含まれる場合、前記商品の購入者から提供された画像の周囲に前記広告主から提供された画像を配置する画像レイアウトステップを含む請求項５５または５６記載のコンピュータプログラム。
【請求項５８】
前記包装材画像表示ステップは、
前記画像選択ステップにより選択された画像に前記商品の購入者から提供された画像と広告主から提供された画像とが含まれる場合、前記商品の購入者から提供された画像の一部に前記広告主から提供された画像を重ねて配置する画像レイアウトステップを含む請求項５５または５６記載のコンピュータプログラム。
【請求項５９】
前記包装材画像表示ステップにて前記表示装置に表示されている前記包装材および／または前記シール材の外観を、前記包装材の実際の外観とするか否かを前記商品の購入者に決定させる外観決定ステップと、
前記外観決定ステップにて前記包装材および／または前記シール材の実際の外観と決定された外観を実現するべく、印刷すべき画像データをプリンタに出力し又はプリンタを制御する印刷処理ステップとを含む項５５〜５８のいずれかに記載のコンピュータプログラム。
【請求項６０】
請求項５１〜５９のいずれかに記載のコンピュータプログラムを記録した記録媒体。
【発明の詳細な説明】
【技術分野】
【０００１】
本発明は、商品の包装材や商品に貼られるシール材に画像を印刷する包装材印刷技術に関し、より詳細には、商品の購入者によって選択された画像を、当該商品の包装材や当該商品に貼られるシール材に、当該商品の販売拠点等に於いて、個別に印刷することを可能にした新規な包装材印刷技術に関する。
【背景技術】
【０００２】
商品の包装材（包装箱、包装袋、包装紙、等）には、包装対象（包装内容物、披包装物）である商品に関連する情報（当該商品の名称やブランドマーク、当該商品の画像やイメージキャラクタの画像、等）や広告情報が、その商品の小売り店舗に搬入される前に既に印刷されている。これらの商品関連画像や広告画像は、包装対象物である商品や広告対象商品に対する消費者の購買意欲を高める目的で包装材に印刷されるものであり、各メーカや店舗、或いは広告主等が熟慮した結果選定される。しかし、商品の包装材に印刷される画像は、ターゲットとする購買層の大部分の人が好感するであろうと思われる、無難な（ありきたりな、面白みのない）ものにならざるを得ない。このため、商品の包装材に印刷する画像を新しいものに変更したとしても、その新鮮さはすぐに失われてしまう。
【０００３】
この種の問題を解決するための従来技術として、消費者が小売り店舗で商品を購入する際に、その商品の包装材や商品自体、あるいは商品に貼られるシール材に、その場で、広告画像（広告情報）を印刷する技術（広告印刷方法、広告印刷装置）が知られている。この広告情報は、広告主（広告依頼者）からの要求に応じて、サーバコンピュータからインターネットを介して小売店舗に送信されるものである。したがって、この従来技術によれば、商品が購入される現場で、その商品の包装材や商品自体に、広告主から要求された新鮮かつ適正な内容の広告画像を印刷することができる。広告主は、インターネットを介して広告画像の変更指示を手軽に行うことができるので、適切なタイミングで、適切な内容を広告することができる。（特許文献１）
しかし、上記従来技術は、商品の包装材等に印刷される広告画像を、広告主の要求に応じて変更できるようにしたものであり、商品の購入者（商品を買った人または買うことを検討している人）の要求に応じて変更できるようにしたものではない。すなわち、上記従来技術では、商品の包装材等に印刷される広告画像の選択権は、広告主、メーカ、小売り店舗など供給サイドだけに与えられており、需要サイドには与えられていない。
【０００４】
したがって、上記従来技術によって商品の包装材等に印刷される広告画像は、個々の商品購入者すなわち最終需用者が真に求める内容やデザインの広告画像であるとは限らない。
【０００５】
また、上記従来技術においては、広告画像以外の画像に関しては、商品の包装材等に予め印刷されており、小売り店舗等で変更することはできない。まして商品の購入者によって選択された任意の画像（たとえば、商品の購入者自身がデジタルカメラなどで撮影し選択した画像、商品のメーカや広告主により提供された複数の画像の中から選択された画像、等）を、その商品の小売り店舗で、その商品の包装材等に個別に印刷することは、上記従来技術では不可能である。
【０００６】
【特許文献１】特開２００２−８３２２０号公報
【発明の開示】
【発明が解決しようとする課題】
【０００７】
本願発明が解決しようとする課題は、商品の購入者によって選択された画像を当該商品の包装材や当該商品に貼られるシール材に印刷することができる新規な包装材印刷技術を実現することにある。より詳細には、以下のとおりである。
【０００８】
第１の課題は、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システムを提供することにある。
【０００９】
第２の課題は、広告主から提供された画像が商品の購入者によって選択され、当該商品の包装材や当該商品に貼られるシール材に印刷された場合に、その印刷回数や印刷面積に応じた料金を広告主毎に課金することができる広告料金課金装置を提供することにある。
【００１０】
第３の課題は、商品の購入者によって選択された画像を、当該商品の販売拠点、注文受付拠点、発送拠点または受渡拠点に於いて、当該商品の包装材や当該商品に貼られるシール材に個別に印刷することができる包装材印刷方法を提供することにある。
【００１１】
第４の課題は、商品の購入者が希望する画像を、当該商品の販売拠点、注文受付拠点、発送拠点または受渡拠点に於いて、当該商品の包装材や当該商品に貼られるシール材に個別に印刷することができるように、複数種類の画像を閲覧可能且つそのうちの任意の画像を選択可能に管理するサーバ装置を提供することにある。
【００１２】
第５の課題は、商品の購入者が、当該商品の包装材や当該商品に貼られるシール材に印刷される画像を選択し、当該商品の販売拠点、注文受付拠点、発送拠点または受渡拠点に設置されたプリンタあるいは印刷サーバ装置に当該画像の印刷を指示するためのクライアント装置を提供することにある。
【００１３】
第６の課題は、商品の購入者によって選択された画像を、当該商品の販売拠点、注文受付拠点、発送拠点または受渡拠点に於いて、当該商品の包装材や当該商品に貼られるシール材に個別に印刷するためのプリンタを提供することにある。
【００１４】
第７の課題は、商品の購入者によって選択された画像をその表面に印刷した後、当該商品の包装箱に容易に成形することができる被印刷材を提供することにある。
【００１５】
第８の課題は、商品の購入者により選択された１または複数の画像を、当該商品の包装材や当該商品に貼られるシール材に印刷することができる店舗を提供することにある。
【００１６】
第９の課題は、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を、コンピュータを利用して実現するためのコンピュータプログラムを提供することにある。
【００１７】
第１０の課題は、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を、コンピュータを利用して実現するためのコンピュータプログラムを記録した記録媒体を提供することにある。
【課題を解決するための手段】
【００１８】
上記課題を解決するために、本願発明では以下の手段を採用する。
【００１９】
本願発明の包装材印刷システムは、商品の購入者により選択された１または複数の画像を、当該商品の包装材（包装材に貼られるシール材を含む）および／または当該商品に貼られるシール材に印刷するべく、当該商品の販売拠点、注文受付拠点、発送拠点または受渡拠点にプリンタを設置してなる。
【００２０】
上記のように構成された包装材印刷システムによれば、商品の購入者によって選択された１または複数の画像を、当該商品の販売拠点、注文受付拠点、発送拠点または受渡拠点に於いて、当該商品の包装材および／または当該商品に貼られるシール材に個別に印刷することができる。
【００２１】
本願発明の包装材印刷システムには、商品の購入者により選択された１または複数の画像を、当該商品の包装材（包装材に貼られるシール材を含む）および／または当該商品に貼られるシール材に印刷するためのシステムであって、複数種類の画像を閲覧可能且つそのうちの任意の画像を選択可能に管理するサーバ装置と、前記サーバ装置によって管理されている画像の中から１または複数の画像を商品の購入者が選択するためのクライアント装置と、前記クライアント装置にて選択された画像を前記商品の包装材および／または前記商品に貼られるシール材に印刷するべく前記商品の販売拠点、注文受付拠点、発送拠点または受渡拠点に設置されたプリンタと、を備えたシステムが含まれる。
【００２２】
上記のように構成された包装材印刷システムによれば、商品の購入者は、クライアント装置を使用することにより、サーバ装置によって管理されている複数種類の画像を閲覧しつつ、その中から、当該商品の包装材および／または当該商品に貼られるシール材に印刷することを希望する１または複数の画像を選択することができる。そして、選択した画像を、販売拠点、注文受付拠点、発送拠点または受渡拠点に設置されたプリンタを使用して、当該商品の包装材および／または当該商品に貼られるシール材に個別に印刷することができる。
【００２３】
前記クライアント装置を操作するのは購入者だけとは限らない。店員やアドバイザ、デザイナなどが、購入者の要望に応じて或いは要望を考慮した上で、前記クライアント装置を操作して画像の選択を行う場合もある。つまり、本発明の包装材印刷システムにおける前記クライアント装置には、商品の包装材やシール材に印刷する画像を選択する操作を、商品の購入者に代わって店員やアドバイザ、デザイナなどが行うためのクライアント装置も含まれる（以下同様）。
【００２４】
本願発明の包装材印刷システムにおいて、前記画像は、前記商品の購入者から提供された画像および／または広告主から提供された画像であることが望ましい。前記サーバ装置は、複数の広告主から提供された画像を管理する機能を有していることが望ましい。前記広告主から提供された画像は、当該広告主が販売する商品の広告画像であることが望ましい。前記クライアント装置は、前記商品の購入者のデジタルカメラまたは記録メディアに記録されている画像の中から任意の画像を選択する機能を有していることが望ましい。前記包装材は、包装箱または包装紙であることが望ましい。前記包装箱は、下箱とこれに被さる上箱とからなり、当該上箱は前記画像の印刷後に成形されるものであることが望ましい。前記上箱は、シート状の被印刷材を折り曲げる工程を経て成形されるものであり、当該被印刷材には、成形を容易にするべく折り曲げ予定線、切り込み予定線、切り込み部、または切欠部が予め設けられていることが望ましい。前記被印刷材として、ボール紙、プラスチックシート、等が用いられる。
【００２５】
本願発明の広告料金課金装置は、本願発明の包装材印刷システムにおいて、前記広告主から提供された画像が前記包装材および／または前記シール材に印刷された回数および／または面積を広告主毎に計算し、その計算結果に応じた料金を広告主毎に課金する。
【００２６】
上記のように構成された広告料金課金装置によれば、本願発明の包装材印刷システムにおいて、広告主から提供された画像が商品の購入者によって選択され、当該商品の包装材や当該商品に貼られるシール材に印刷された場合に、その印刷回数や印刷面積を広告主毎に計算し、その計算結果に応じた料金を広告主毎に課金することができる。
【００２７】
本願発明の包装材印刷方法は、商品の購入者により選択された１または複数の画像を、当該商品の販売拠点、注文受付拠点、発送拠点または受渡拠点に設置したプリンタを使用して当該商品の包装材（包装材に貼られるシール材を含む）および／または当該商品に貼られるシール材に印刷するようにしたものである。
【００２８】
この包装材印刷方法によれば、商品の購入者によって選択された１または複数の画像を、当該商品の販売拠点、注文受付拠点、発送拠点または受渡拠点に於いて、当該商品の包装材および／または当該商品に貼られるシール材に個別に印刷することができる。
【００２９】
本願発明の包装材印刷方法には、商品の購入者により選択された１または複数の画像を当該商品の包装材（包装材に貼られるシール材を含む）および／または当該商品に貼られるシール材に印刷するための方法であって、複数種類の画像を閲覧可能且つそのうちの任意の画像を選択可能にサーバ装置によって管理する画像管理ステップと、前記複数種類の画像の中から１または複数の画像をクライアント装置を使用して選択する画像選択ステップと、前記選択された１または複数の画像を前記商品の販売拠点、注文受付拠点、発送拠点または受渡拠点に設置されたプリンタを使用して前記商品の包装材および／または前記商品に貼られるシール材に印刷する画像印刷ステップと、を有する方法が含まれる。
【００３０】
上記のように構成された包装材印刷方法によれば、商品の購入者は、クライアント装置を使用することにより、サーバ装置によって管理されている複数種類の画像を閲覧しつつ、その中から、当該商品の包装材および／または当該商品に貼られるシール材に印刷することを希望する１または複数の画像を選択することができる。そして、選択した画像を、販売拠点、注文受付拠点、発送拠点または受渡拠点に設置されたプリンタを使用して、当該商品の包装材および／または当該商品に貼られるシール材に個別に印刷することができる。
【００３１】
本願発明の包装材印刷方法において、前記画像は、前記商品の購入者から提供された画像および／または広告主から提供された画像であることが望ましい。前記画像管理ステップにおいて、複数の広告主から提供された画像を管理することが望ましい。前記広告主から提供された画像は、当該広告主が販売する商品の広告画像であることが望ましい。前記画像選択ステップは、前記商品の購入者のデジタルカメラまたは記録メディアに記録されている画像の中から任意の画像を選択するステップを含むことが望ましい。前記包装材は、箱または包装紙であることが望ましい。前記包装箱は、下箱とこれに被さる上箱とからなり、当該上箱は前記画像の印刷後に成形されるものであることが望ましい。前記上箱は、シート状の被印刷材を折り曲げる工程を経て成形されるものであり、当該被印刷材には、成形を容易にするべく折り曲げ予定線、切り込み予定線、切り込み部、または切欠部が予め設けられていることが望ましい。前記被印刷材として、ボール紙、プラスチックシート、等を使用できる。
【００３２】
本願発明のサーバ装置は、本発明の包装材印刷システムすなわち、商品の購入者により選択された１または複数の画像を当該商品の包装材（包装材に貼られるシール材を含む）および／または当該商品に貼られるシール材に印刷するための包装材印刷システムにおいて、複数種類の画像を閲覧可能且つそのうちの任意の画像を選択可能に管理するものである。
【００３３】
このサーバ装置によれば、商品の購入者が希望する画像を、当該商品の販売拠点、注文受付拠点、発送拠点または受渡拠点に於いて、当該商品の包装材や当該商品に貼られるシール材に個別に印刷することができるように、複数種類の画像を閲覧可能且つそのうちの任意の画像を選択可能に管理することができる。
【００３４】
本願発明のサーバ装置において、前記画像は、前記商品の購入者から提供された画像および／または広告主から提供された画像であることが望ましい。前記広告主から提供された画像は、複数の広告主から提供された画像であることが望ましい。前記広告主から提供された画像は、当該広告主が販売する商品の広告画像であることが望ましい。前記包装材印刷システムは、前記商品の購入者のデジタルカメラまたは記録メディアに記録されている画像の中から任意の画像を選択する機能を有するクライアント装置を含むシステムであることが望ましい。前記包装材は、包装箱または包装紙であることが望ましい。前記包装箱は、下箱とこれに被さる上箱とからなり、当該上箱は前記画像の印刷後に成形されるものであることが望ましい。前記上箱は、シート状の被印刷材を折り曲げる工程を経て成形されるものであり、当該被印刷材には、成形を容易にするべく折り曲げ予定線、切り込み予定線、切り込み部、または切欠部が予め設けられていることが望ましい。
【００３５】
本願発明のクライアント装置は、商品の購入者に１または複数の画像を選択させるための画像選択手段と、前記商品の購入者により選択された画像を、前記商品の販売拠点、注文受付拠点、発送拠点または受渡拠点に設置されたプリンタを使用して前記商品の包装材（包装材に貼られるシール材を含む）および／または前記商品に貼られるシール材に印刷するべく、当該プリンタに画像データもしくは印刷制御データを送信する、または、当該プリンタに画像データもしくは印刷制御データを送信する印刷サーバ装置に指示を与える印刷指示手段と、を備えたものである。
【００３６】
上記のように構成されたクライアント装置によれば、商品の購入者が、当該商品の包装材や当該商品に貼られるシール材に印刷される画像を選択し、当該商品の販売拠点、注文受付拠点、発送拠点または受渡拠点に設置されたプリンタあるいは印刷サーバ装置に当該画像の印刷を指示することができる。
【００３７】
本願発明のクライアント装置として、パーソナルコンピュータ、画像ブラウザ機能を備えた携帯電話機、等が使用される（以下同様）。本発明のクライアント装置には、商品の包装材に印刷する画像を選択するための操作を、商品の購入者に代わって店員やアドバイザ、デザイナなどが行うためのクライアント装置も含まれる（以下同様）。
【００３８】
本願発明のクライアント装置は、複数種類の画像を閲覧可能且つそのうちの任意の画像を選択可能に管理するサーバ装置と通信する通信手段を備え、前記画像選択手段により、前記サーバ装置によって管理されている画像の中から任意の画像を選択可能であることが望ましい。さらに、前記画像選択手段により、前記商品の購入者のデジタルカメラまたは記録メディアに記録されている画像の中から任意の画像を選択可能であることが望ましい。
【００３９】
本願発明のクライアント装置において、前記画像は、前記商品の購入者から提供された画像および／または広告主から提供された画像であることが望ましい。前記サーバ装置は、複数の広告主から提供された画像を管理していることが望ましい。前記広告主から提供された画像は、当該広告主が販売する商品の広告画像であることが望ましい。
【００４０】
本願発明のクライアント装置は、前記画像選択手段により選択された画像を前記商品の包装材（包装材に貼られるシール材を含む）および／または前記商品に貼られるシール材に印刷した場合における当該包装材および／または当該シール材の外観を表示装置に表示（好ましくは三次元画像表示）させる外観表示制御手段を備えていることが望ましい。
【００４１】
前記外観表示制御手段は、前記画像選択手段により選択された画像を前記商品の包装材（包装材に貼られるシール材を含む）および／または前記商品に貼られるシール材に印刷した場合における当該包装材および／または当該シール材の外観を表示装置に表示する印刷シミュレータとして機能する。
【００４２】
前記外観表示制御手段は、前記包装材のサイズおよび／または形状に応じて前記包装材に対する前記画像の配置を決定または変更する画像レイアウト機能を有することが望ましい。
【００４３】
前記外観表示制御手段は、前記画像選択手段により選択された画像に前記商品の購入者から提供された画像と前記広告主から提供された画像とが含まれる場合に、前記商品の購入者から提供された画像の周囲に前記広告主から提供された画像を配置する画像レイアウト機能を有することが望ましい。
【００４４】
前記外観表示制御手段は、前記画像選択手段により選択された画像に前記商品の購入者から提供された画像と前記広告主から提供された画像とが含まれる場合に、前記商品の購入者から提供された画像の一部に前記広告主から提供された画像を重ねて配置する画像レイアウト機能を有することが望ましい。
【００４５】
本願発明のクライアント装置は、更に、前記表示装置に表示されている前記包装材および／または前記シール材の外観を、前記包装材および／または前記シール材の実際の外観とするように前記商品の購入者に決定させる外観決定手段を備え、前記印刷指示手段は、前記外観決定手段にて前記包装材および／または前記シール材の実際の外観とするように決定された外観を実現するべく、プリンタに画像データまたは印刷制御データを送信し、若しくは、プリンタに画像データまたは印刷制御データを送信する機能を有する印刷サーバ装置に指示する機能を有することが望ましい。
【００４６】
本願発明のクライアント装置において、前記包装材は、包装箱または包装紙であることが望ましい。前記包装箱は、下箱とこれに被さる上箱とからなり、当該上箱は前記画像の印刷後に成形されるものであることが望ましい。前記上箱は、シート状の被印刷材を折り曲げる工程を経て成形されるものであり、当該被印刷材には、成形を容易にするべく折り曲げ予定線、切り込み予定線、切り取り予定線、切り込み線、または切欠部が予め設けられていることが望ましい。
【００４７】
本願発明のプリンタは、商品の購入者により選択された１または複数の画像を、当該商品の包装材（包装材に貼られるシール材を含む）および／または当該商品に貼られるシール材に印刷するべく、当該商品の販売拠点、注文受付拠点、発送拠点または受渡拠点に設置される。
【００４８】
このプリンタによれば、商品の購入者によって選択された画像を、当該商品の販売拠点、注文受付拠点、発送拠点または受渡拠点に於いて、当該商品の包装材や当該商品に貼られるシール材に個別に印刷することができる。
【００４９】
本願発明の被印刷材は、本願発明のプリンタを使用してその表面に印刷処理が施された後に前記商品の包装箱に成形されるシート状の被印刷材であって、前記商品の包装箱への成形を容易にするべく折り曲げ予定線、切り込み予定線、切り取り予定線、切り込み線、または切欠部が予め設けられた被印刷材である。
【００５０】
この被印刷材は、商品の購入者によって選択された画像をその表面に印刷した後、当該商品の包装箱に容易に成形することができる。
【００５１】
本願発明の店舗は、商品の購入者により選択された１または複数の画像を、当該商品の包装材（包装材に貼られるシール材を含む）および／または当該商品に貼られるシール材に印刷するべくプリンタが設置されている店舗である。ここでいう店舗は、売場という意味を含んでいる。店舗の例として、百貨店のお中元商品売り場やお歳暮商品売り場、コンビニエンス・ストア、家電量販店、等をあげることができる。
【００５２】
この店舗によれば、商品の購入者により選択された１または複数の画像を、当該商品の包装材や当該商品に貼られるシール材にその場で印刷することができる。
【００５３】
本願発明の店舗において、前記画像は、前記商品の購入者から提供された画像および／または広告主から提供された画像であることが望ましい。前記広告主から提供された画像は、当該広告主が販売する商品の広告画像であることが望ましい。前記商品の購入者から提供された画像は、前記商品の購入者のデジタルカメラまたは記録メディアに記録された画像であることが望ましい。前記包装材は、包装箱または包装紙であることが望ましい。前記包装箱は、下箱とこれに被さる上箱とからなり、当該上箱は前記画像の印刷後に成形されるものであることが望ましい。前記上箱は、シート状の被印刷材を折り曲げる工程を経て成形されるものであり、当該被印刷材には、成形を容易にするべく折り曲げ予定線、切り込み予定線、切り取り予定線、切り込み線、または切欠部が予め設けられていることが望ましい。
【００５４】
本願発明のコンピュータプログラムには、以下のプログラムが含まれる。
【００５５】
複数のコンピュータと前記プリンタとからなるシステムを、本発明の包装材印刷システムとして機能させるためのコンピュータプログラム。コンピュータを、本発明の包装材印刷システムにおけるサーバ装置、または本発明のサーバ装置として機能させるためのコンピュータプログラム。コンピュータを、本発明の包装材印刷システムにおけるクライアント装置、または本発明のクライアント装置として機能させるためのコンピュータプログラム。コンピュータを、本発明の広告料金課金装置として機能させるためのコンピュータプログラム。
【００５６】
これらのコンピュータプログラムによれば、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を、コンピュータを利用して実現することができる。
【００５７】
さらに、本願発明のコンピュータプログラムには、商品の購入者に１または複数の画像を選択させる画像選択ステップと、前記画像選択ステップにより選択された画像を前記商品の包装材（包装材に貼られるシール材を含む）および／または前記商品に貼られるシール材に印刷した場合における当該包装材および／または当該シール材の外観を表示装置に表示する包装材画像表示ステップと、を有するコンピュータプログラムが含まれる。
【００５８】
このコンピュータプログラムによれば、商品の購入者は、選択した画像を当該商品の包装材および／または当該商品に貼られるシール材に印刷した場合における当該包装材および／または当該シール材の外観を、印刷を実行する前に表示装置上で事前に確認することができる。
【００５９】
本願発明のコンピュータプログラムにおいて、前記包装材画像表示ステップは、前記包装材のサイズおよび／または形状に応じて前記包装材に対する前記画像の配置を決定または変更する画像レイアウトステップを含むことが望ましい。
【００６０】
前記包装材画像表示ステップは、前記画像選択ステップにより選択された画像に前記商品の購入者から提供された画像と広告主から提供された画像とが含まれる場合、前記商品の購入者から提供された画像の周囲に前記広告主から提供された画像を配置する画像レイアウトステップを含むことが望ましい。
【００６１】
前記包装材画像表示ステップは、前記画像選択ステップにより選択された画像に前記商品の購入者から提供された画像と広告主から提供された画像とが含まれる場合、前記商品の購入者から提供された画像の一部に前記広告主から提供された画像を重ねて配置する画像レイアウトステップを含むことが望ましい。
【００６２】
本願発明のコンピュータプログラムにおいて、前記包装材画像表示ステップにて前記表示装置に表示されている前記包装材の外観を、前記包装材の実際の外観とするか否かを前記商品の購入者に決定させる外観決定ステップと、前記外観決定ステップにて前記包装材の実際の外観と決定された外観を実現するべく、印刷すべき画像データをプリンタに出力し又はプリンタを制御する印刷処理ステップとを含むことが望ましい。
【００６３】
本願発明の記録媒体は、本願発明のコンピュータプログラムが記録されているコンピュータ読み取り可能な記録媒体である。本願発明の記録媒体として、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＭＯ、ＦＤ、ハードディスク、フラッシュメモリ、等を使用できる。
【００６４】
この記録媒体に記録されているコンピュータプログラムをコンピュータにインストールし実行することにより、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を実現できる。
【発明の効果】
【００６５】
本願発明の包装材印刷システムによれば、商品の購入者によって選択された画像を、当該商品の販売拠点、注文受付拠点、発送拠点または受渡拠点に於いて、当該商品の包装材や当該商品に貼られるシール材に個別に印刷することができる。
【００６６】
本願発明の広告料金課金装置によれば、広告主から提供された画像が商品の購入者によって選択され、当該商品の包装材や当該商品に貼られるシール材に印刷された場合に、その印刷回数や印刷面積に応じた料金を広告主毎に課金することができる。
【００６７】
本願発明の包装材印刷方法によれば、商品の購入者によって選択された画像を、当該商品の販売拠点、注文受付拠点、発送拠点または受渡拠点に於いて、当該商品の包装材や当該商品に貼られるシール材に個別に印刷することができる。
【００６８】
本願発明のサーバ装置によれば、商品の購入者が希望する画像を、当該商品の販売拠点、注文受付拠点、発送拠点または受渡拠点に於いて、当該商品の包装材や当該商品に貼られるシール材に個別に印刷できるように、複数種類の画像を閲覧可能且つそのうちの任意の画像を選択可能に管理することができる。
【００６９】
本願発明のクライアント装置によれば、商品の購入者が、当該商品の包装材や当該商品に貼られるシール材に印刷される画像を選択し、当該商品の販売拠点、注文受付拠点、発送拠点または受渡拠点に設置されたプリンタあるいは印刷サーバ装置に当該画像の印刷を指示することができる。
【００７０】
本願発明のプリンタによれば、商品の購入者によって選択された画像を、当該商品の販売拠点、注文受付拠点、発送拠点または受渡拠点に於いて、当該商品の包装材や当該商品に貼られるシール材に個別に印刷することができる。
【００７１】
本願発明の被印刷材は、商品の購入者によって選択された画像をその表面に印刷した後、当該商品の包装箱に容易に成形することができる。
【００７２】
本願発明の店舗によれば、商品の購入者により選択された１または複数の画像を、当該商品の包装材や当該商品に貼られるシール材にその場で印刷することができる。
【００７３】
本願発明のコンピュータプログラムによれば、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を、コンピュータを利用して実現できる。
【００７４】
本願発明の記録媒体によれば、これに記録されているコンピュータプログラムをコンピュータにインストールし実行することにより、商品の購入者によって選択された画像を、当該商品の販売拠点、注文受付拠点、発送拠点または受渡拠点に於いて、当該商品の包装材や当該商品に貼られるシール材に個別に印刷することができる包装材印刷システム、当該システムを構成するサーバ装置、クライアント装置および広告料金課金装置を実現できる。
【発明を実施するための最良の形態】
【００７５】
つぎに、本願発明を実施するための最良の形態について説明する。
【００７６】
図１は、本願発明の実施形態の一例を示すシステム構成図である。
【００７７】
図１に示す包装材印刷システム１００は、ユーザ画像サーバ（サーバ装置）１１０と、広告画像サーバ（サーバ装置、広告料金課金装置）１２０と、店舗クライアント（クライアント装置）１３０と、プリンタ１４０と、を有して構成されている。
【００７８】
この包装材印刷システム１００の利用主体は、一般ユーザの他、広告主となる企業・会社、そして、店舗の経営者やオーナなど、様々である。ただし、誰もが無条件にこのシステム１００を利用できる訳ではない。一般ユーザ（消費者）がこのシステム１００を利用するためには、ユーザ登録を済ませておく必要がある。ユーザ登録は、このシステム１００の管理運営組織（会社）が運営する公式ウエブサイトのユーザ登録ページ（ＧＵＩ：Graphical  User  Interface）画面）に各人がアクセスすることにより、対話形式で行うことができる。ユーザ登録の際入力されたユーザ情報（住所、氏名、性別、電子メールアドレス、電話番号、等）は図示しないユーザ情報管理サーバに登録される。ユーザ登録した一般ユーザには、一般ユーザ用ＩＤとパスワードが付与される。このシステム１００に広告主として参加する場合にも、やはり利用主体の登録が必要である。この場合、システム１００の管理運営組織と利用主体との間で各種利用条件（課金に関する条件、利用可能な期間やデータ保存容量に関する条件、等）についての契約を交わしておく必要がある。当然ながら、このシステム１００に店舗として参加する場合にも、やはり利用主体の登録が必要である。
【００７９】
ユーザ画像サーバ１１０は、一般ユーザがインターネット経由でアクセス可能なサーバである。ユーザ画像サーバ１１０にはユーザ画像データベース（ＤＢ）１１１が接続されている。一般ユーザは、ユーザ自身がデジタルカメラ２１０で撮影した画像やユーザＰＣ２５０上で作成した画像など、自分が所有権を持っている複数の画像の中から、包装材１６１に印刷するのに適していると思われる１または複数の画像を選んで、それをユーザ画像ＤＢ１１１に保存しておくことができる。ただし、当然に、保存可能なデータ量の上限がユーザごとに予め設定されている。
【００８０】
ユーザ画像ＤＢ１１１に保存する画像の選択は、ユーザ自身がユーザＰＣ２５０上で行う。すなわち、ユーザは、ユーザＰＣ２５０上で一般ユーザ用画像管理画面（ＷｅｂページまたはユーザＰＣに保存されているページ）を開き、ユーザＰＣ２５０に保存されている画像の中から任意の画像を選択する。そして、選択した画像のアップロードを指示すると、その画像がユーザＰＣ２５０からユーザ画像サーバ１１０にインターネット３００経由で転送され、ユーザ画像ＤＢ１１１に保存される。ユーザ画像ＤＢ１１１に保存した画像は、その画像を保存したユーザの意思で、一般に公開することも非公開にすることも可能である。ユーザ画像ＤＢ１１１に画像を登録した一般ユーザは、その画像を店舗クライアント１３０にダウンロードする権限を有する。
【００８１】
広告画像サーバ１２０は、広告主がインターネット経由でアクセス可能なサーバである。広告画像サーバ１２０には広告画像ＤＢ１２１が接続されている。広告主は、自社商品の広告画像や自社のイメージ向上のための広告画像を広告画像ＤＢ１２１に保存しておくことができる。各広告主が広告画像ＤＢ１２１に保存可能な画像のサイズ（一枚当たりのデータ量）や枚数（または総データ量）、利用可能期間などは、各広告主とこのシステム１００の管理運営組織との契約時に定められる。各広告主は、契約期間内であれば、広告画像ＤＢ１２１に保存した広告画像を自由に変更（削除、上書きによる書き換え、新規保存、等）することができる。広告画像ＤＢ１２１への広告画像の保存は、ユーザ画像の場合と同様にインターネット経由で広告主自身が行うことができ、さらに、広告画像を記録した各種可搬記録メディア（ＤＶＤ−ＲＯＭ、ＤＶＤ−Ｒ／ＲＷ、ＣＤ−ＲＯＭ、ＣＤ−Ｒ／ＲＷ、ＭＯ、メモリカード、等）をこのシステム１００の管理運営組織に持ち込むことによって行うこともできる。
【００８２】
広告画像サーバ１２０は、広告画像ＤＢ１２１に保存されている全ての画像を、店舗クライアント１３０上で閲覧可能に且つそのうちの任意の画像を選択可能に管理している。
【００８３】
また、広告画像サーバ１２０は、広告主から提供された画像が包装材１６１に印刷された回数および／または面積を広告主毎に計算し、その計算結果に応じた料金を広告主毎に課金する広告料金課金装置としても機能する。
【００８４】
店舗クライアント１３０およびプリンタ１４０は、店舗１５０に設置されている。
【００８５】
店舗クライアント１３０は、広告画像ＤＢ１２１に保存されている画像の中から１または複数の画像を商品の購入者（商品を購入した一般ユーザ）が選択するための端末である。
【００８６】
プリンタ１４０は、店舗クライアント１３０にて選択された画像２００を商品の包装材１６１または当該商品に貼られるシール材に印刷するべく商品の販売拠点、注文受付拠点、発送拠点または受渡拠点に設置される。
【００８７】
画像２００は、商品の購入者から提供された画像２００Ａおよび／または広告主から提供された画像２００Ｂである。
【００８８】
広告主から提供された画像２００Ｂは、当該広告主が販売する商品の広告画像である。
【００８９】
店舗クライアント１３０は、商品の購入者のデジタルカメラ２１０または記録メディア２１１に記録されている画像の中から任意の画像を選択する機能も有している。
【００９０】
包装材１６１は、包装箱または包装紙である。
【００９１】
包装箱１６１は、下箱とこれに被さる上箱１６０Ａとからなり、当該上箱１６０Ａは画像２００の印刷後に成形されるものである。
【００９２】
上箱１６０Ａは、シート状の被印刷材１６０を折り曲げる工程を経て成形されるものであり、当該被印刷材１６０には、成形を容易にするべく折り曲げ予定線、切り込み予定線、切り取り予定線、切り込み部（既に切り込みが入っている部分）、または切欠部（既に切り撮られている部分）が予め設けられている。被印刷材として、ボール紙、プラスチックシート、等が用いられる。
【００９３】
この包装材印刷システム１００によれば、商品の購入者によって選択された１または複数の画像２００を、当該商品の販売拠点、注文受付拠点、発送拠点または受渡拠点に於いて、当該商品の包装材１６１および／または当該商品に貼られるシール材に個別に印刷することができる。
【００９４】
また、商品の購入者は、店舗クライアント装置１３０を使用することにより、ユーザ画像サーバ１１０および広告画像サーバ１２０によって管理されている複数種類の画像２００を閲覧しつつ、その中から、当該商品の包装材１６１および／または当該商品に貼られるシール材に印刷することを希望する１または複数の画像２００を選択することができる。そして、選択した画像２００を、販売拠点、注文受付拠点、発送拠点または受渡拠点に設置されたプリンタ１４０を使用して、当該商品の包装材１６１および／または当該商品に貼られるシール材に個別に印刷することができる。
【００９５】
また、広告主から提供された画像が商品の購入者によって選択され、当該商品の包装材１６１や当該商品に貼られるシール材に印刷された場合に、その印刷回数や印刷面積を広告主毎に計算し、その計算結果に応じた料金を広告主毎に課金することができる。
【００９６】
なお、店舗クライアント装置１３０を操作するのは購入者だけとは限らない。店員やアドバイザ、デザイナなどが、購入者の要望に応じて或いは要望を考慮した上で、前記クライアント装置を操作して画像の選択を行う場合もある。店舗クライアント装置１３０には、商品の包装材１６１やシール材に印刷する画像２００を選択する操作を、商品の購入者に代わって店員やアドバイザ、デザイナなどが行うためのクライアント装置も含まれる。
【００９７】
また、インターネット３００等を利用した通信販売システムの場合、ユーザ宅などに設置されたユーザＰＣ２５０が店舗クライアント装置１３０として機能する。
【図面の簡単な説明】
【００９８】
【図１】本願発明の実施形態の一例を示すシステム構成図
【符号の説明】
【００９９】
１００  包装材印刷システム
１１０  ユーザ画像サーバ（サーバ装置）
１１１  ユーザ画像データベース
１２０  広告画像サーバ（サーバ装置、広告料金課金装置）
１２１  広告画像データベース
１３０  店舗クライアント（クライアント装置）
１４０  プリンタ
１５０  店舗
１６０  被印刷材
１６０ａ  折り曲げ予定線
１６１  包装材
１６０Ａ  上箱
１６５  シール材
２００  画像
２００Ａ  商品の購入者から提供された画像
２００Ｂ  広告主から提供された画像
２５０  ユーザＰＣ（クライアント装置）
３００  インターネット
【図１】
2004303249.tif 000003